(57)【要約】【課題】親展印刷を行うユーザーの操作の手間を軽減しつつ、出力された印刷物の秘匿性を確保可能な印刷システムを提供すること。【解決手段】印刷システムは、画像形成装置と画像形成装置に印刷データを送信可能な複数の情報処理装置とを備え、画像形成装置で印刷が開始されるまでの待機時間が設定された印刷データが情報処理装置から送信されると、画像形成装置は待機時間の経過後に印刷データの印刷を開始すると共に、待機時間が設定されている印刷データの印刷が開始されるまでの間、他の印刷データの印刷を禁止する。【選択図】図５
2015197705.tif 000002
【特許請求の範囲】
【請求項１】
画像形成装置と前記画像形成装置に印刷データを送信可能な複数の情報処理装置とを備える印刷システムであって、
前記印刷データについて前記画像形成装置で印刷が開始されるまでの待機時間を設定可能な第１設定手段と、
前記印刷データについて前記待機時間が設定されている場合に前記待機時間の経過後に前記画像形成装置による前記印刷データの印刷を開始させる印刷制御手段と、
前記待機時間が設定されている前記印刷データの印刷が開始されるまでの間、前記画像形成装置による他の前記印刷データの印刷を禁止可能な印刷禁止手段と、
を備える印刷システム。
【請求項２】
前記待機時間が設定される前記印刷データについて前記印刷禁止手段による他の前記印刷データの印刷の禁止が解除される解除時間を設定可能な第２設定手段を更に備え、
前記印刷禁止手段が、前記印刷データに対応する前記待機時間の計時開始から前記解除時間が経過するまでの間、他の前記印刷データの印刷の禁止を解除する請求項１に記載の印刷システム。
【請求項３】
前記印刷データについて設定された前記待機時間が予め定められた閾値を超える場合に、前記印刷データに対応する前記待機時間から予め設定された禁止時間を除く残余時間を前記印刷禁止手段による他の前記印刷データの印刷の禁止が解除される解除時間として設定可能な解除時間設定手段を更に備え、
前記印刷禁止手段が、前記印刷データに対応する前記待機時間の計時開始から前記解除時間が経過するまでの間、他の前記印刷データの印刷の禁止を解除する請求項１または２のいずれかに記載の印刷システム。
【請求項４】
前記画像形成装置の排紙トレイ上の用紙の有無を検出可能な用紙検出手段と、
前記印刷データについて前記排紙トレイ上に用紙が存在することを前記印刷データの印刷の保留条件として設定可能な第３設定手段とを更に備え、
前記印刷制御手段が、前記印刷データについて前記保留条件が設定されている場合に前記用紙検出手段により前記排紙トレイ上の用紙が検出されている間は前記印刷データの印刷を開始させず、
前記印刷禁止手段が、前記保留条件が設定された前記印刷データの印刷が開始された後、前記印刷データが印刷された用紙が前記用紙検出手段により検出されなくなるまでの間、前記画像形成装置による他の前記印刷データの印刷を禁止可能な請求項１〜３のいずれかに記載の印刷システム。
【請求項５】
前記画像形成装置が、予め設定された認証操作に応じてユーザーをログインさせる認証制御手段と、前記印刷データを送信可能な前記情報処理装置に対応するユーザーを特定可能な特定手段とを備え、
前記印刷制御手段が、前記印刷データについて前記保留条件が設定されている場合に前記用紙検出手段により前記排紙トレイ上の用紙が検出されている間であっても前記印刷データを送信した前記情報処理装置に対応するユーザーが前記画像形成装置にログインした場合には前記印刷データの印刷を開始させる請求項４に記載の印刷システム。
【請求項６】
前記情報処理装置から送信される前記印刷データを記憶する記憶手段を更に備え、
前記印刷制御手段が、前記待機時間及び前記保留条件のどちらか一方又は両方が設定された複数の前記印刷データが前記記憶手段に記憶されている場合に複数の前記印刷データについて予め定められた順序に従って順次前記印刷データの印刷を開始させ、
前記情報処理装置により前記待機時間及び前記保留条件のどちらか一方又は両方が設定された前記印刷データが送信された場合であって前記記憶手段に前記順序が優先する他の前記印刷データが存在する場合に前記印刷データを送信した前記情報処理装置にその旨を通知する第１通知手段を備える請求項４又は５のいずれかに記載の印刷システム。
【請求項７】
前記印刷禁止手段により他の前記印刷データの印刷が禁止される場合に前記待機時間及び前記保留条件が設定されていない前記印刷データを送信した前記情報処理装置にその旨を通知する第２通知手段を備える請求項６に記載の印刷システム。
【請求項８】
前記印刷禁止手段により他の前記印刷データの印刷が禁止される場合に前記情報処理装置による前記待機時間及び前記保留条件が設定されていない他の前記印刷データの送信を禁止する送信禁止手段を備える請求項６に記載の印刷システム。
【請求項９】
前記情報処理装置が前記第１設定手段を備え、前記画像形成装置が前記印刷制御手段及び前記印刷禁止手段を備える請求項１〜８のいずれかに記載の印刷システム。
【請求項１０】
画像形成装置に印刷データを送信するデータ送信手段と、
前記送信手段により送信される前記印刷データについて前記画像形成装置で印刷が開始されるまでの待機時間を設定可能な第１設定手段と、
を備える情報処理装置。
【請求項１１】
情報処理装置から送信される印刷データについて印刷が開始されるまでの待機時間が設定されている場合に前記待機時間の経過後に前記印刷データの印刷を開始させる印刷制御手段と、
前記待機時間が設定されている前記印刷データの印刷が開始されるまでの間、他の前記印刷データの印刷を禁止可能な印刷禁止手段と、
を備える画像形成装置。
【発明の詳細な説明】
【技術分野】
【０００１】
本発明は、画像形成装置と情報処理装置とを備える印刷システムに関する。
【背景技術】
【０００２】
企業のオフィスなどにおいては、プリンターなどの画像形成装置で秘匿性の高い印刷データが印刷されることがある。このような印刷データが、複数のユーザーが共有する画像形成装置を用いて印刷される場合には、画像形成装置で出力された印刷物の内容が第三者の目に触れる可能性がある。
【０００３】
そこで、画像形成装置で出力された印刷物の内容が第三者の目に触れることを防止可能な印刷方法として、親展印刷と呼ばれる方法が知られている。例えば、情報処理装置から画像形成装置に送信される印刷データについてパスワードの設定が可能であり、画像形成装置においてパスワードの入力操作が行われた場合に印刷データが印刷される手法が知られている（例えば、特許文献１参照）。また、画像形成装置の排紙トレイ上に用紙が存在しないことを条件に印刷データが出力される手法が知られている（例えば、特許文献２参照）。
【先行技術文献】
【特許文献】
【０００４】
【特許文献１】特開平４−４８３２３号公報
【特許文献２】特開２００８−２３６２９８号公報
【発明の概要】
【発明が解決しようとする課題】
【０００５】
しかしながら、画像形成装置でパスワードを入力することは、親展印刷を行うユーザーにとって手間がかかる。また、排紙トレイ上に用紙が存在する場合に印刷データの出力が禁止される構成であっても、例えば画像形成装置で親展印刷の印刷物が出力された直後に他の印刷物が出力された場合には、他の印刷物を出力したユーザーに親展印刷の印刷物の内容が見られてしまう可能性がある。
【０００６】
本発明の目的は、親展印刷を行うユーザーの操作の手間を軽減しつつ、出力された印刷物の秘匿性を確保可能な印刷システムを提供することにある。
【課題を解決するための手段】
【０００７】
本発明の一の局面に係る印刷システムは、画像形成装置と、前記画像形成装置に印刷データを送信可能な複数の情報処理装置とを備える印刷システムであって、第１設定手段と、印刷制御手段と、印刷禁止手段とを備える。前記第１設定手段は、前記印刷データについて前記画像形成装置で印刷が開始されるまでの待機時間を設定可能である。前記印刷制御手段は、前記印刷データについて前記待機時間が設定されている場合に前記待機時間の経過後に前記画像形成装置に前記印刷データの印刷を開始させる。前記印刷禁止手段は、前記待機時間が設定されている前記印刷データの印刷が開始されるまでの間、前記画像形成装置による他の前記印刷データの印刷を禁止可能である。
【０００８】
本発明の他の局面に係る情報処理装置は、送信手段と、第１設定手段とを備える。前記送信手段は、画像形成装置に印刷データを送信する。前記第１設定手段は、前記送信手段により送信される前記印刷データについて前記画像形成装置で印刷が開始されるまでの待機時間を設定可能である。
【０００９】
本発明の他の局面に係る画像形成装置は、印刷制御手段と、印刷禁止手段とを備える。前記印刷制御手段は、情報処理装置から送信される印刷データについて印刷が開始されるまでの待機時間が設定されている場合に前記待機時間の経過後に前記印刷データの印刷を開始させる。前記印刷禁止手段は、前記待機時間が設定されている前記印刷データの印刷が開始されるまでの間、他の前記印刷データの印刷を禁止可能である。
【発明の効果】
【００１０】
本発明によれば、親展印刷を行うユーザーの操作の手間を軽減しつつ、出力された印刷物の秘匿性を確保することが可能になる。
【図面の簡単な説明】
【００１１】
【図１】本発明の実施の形態に係る印刷システムの構成を示すブロック図。
【図２】本発明の実施の形態に係る画像形成装置の構成を示す図。
【図３】本発明の実施の形態に係る情報処理装置で実行されるデータ送信処理の一例を示すフローチャート。
【図４】本発明の実施の形態に係る画像形成装置で実行される印刷制御処理の一例を示すフローチャート。
【図５】本発明の実施の形態に係る画像形成装置で実行される親展印刷処理の一例を示すフローチャート。
【発明を実施するための形態】
【００１２】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１３】
［印刷システム１００］
本発明の実施の形態に係る印刷システム１００は、図１に示すように、複数の情報処理装置１０と、画像形成装置２０とを備える。前記情報処理装置１０及び前記画像形成装置２０は、インターネット又はＬＡＮなどの通信ネットワーク３０を介して接続可能である。
【００１４】
［情報処理装置１０］
前記情報処理装置１０は、図１に示すように、制御部１１、操作表示部１２、通信部１３、及び記憶部１４を備えるパーソナルコンピューターなどである。なお、前記情報処理装置１０は、スマートフォン、携帯電話、タブレット端末、又はＰＤＡ等であってもよい。
【００１５】
前記制御部１１は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部１１は、前記ＲＯＭ又は前記記憶部１４に予め記憶された各種の制御プログラムを前記ＣＰＵを用いて実行することにより前記情報処理装置１０を統括的に制御する。なお、前記制御部１１は、集積回路（ＡＳＩＣ）などの電子回路で構成されたものであってもよい。
【００１６】
前記操作表示部１２は、前記制御部１１からの制御指示に基づいて各種の情報を表示する液晶ディスプレーなどの表示部と、ユーザーによる各種の入力操作を受け付けるキーボード及びマウスなどの操作部とを備える。
【００１７】
前記通信部１３は、前記画像形成装置２０などの外部通信機器との間で、前記通信ネットワーク３０を介して有線又は無線によるデータ通信を実行する。
【００１８】
前記記憶部１４は、ソリッドステートドライブ（ＳＳＤ）又はハードディスクドライブ（ＨＤＤ）などの記憶部であり、前記制御部１１によるデータの読み書きが可能である。例えば、前記記憶部１４には、前記画像形成装置２０で印刷される印刷データが記憶される。
【００１９】
更に、前記記憶部１４には、前記制御部１１の前記ＣＰＵに後述のデータ送信処理（図３のフローチャート参照）を実行させるためのデータ送信プログラムが予め記憶されている。なお、前記データ送信プログラムは、ＣＤ、ＤＶＤ、フラッシュメモリーなどのコンピューター読み取り可能な記録媒体に記録されており、前記記録媒体から前記記憶部１４などの記憶手段にインストールされてもよい。なお、本発明は、前記データ送信プログラムを記録したコンピューター読み取り可能な記録媒体として捉えてもよい。
【００２０】
そして、前記制御部１１は、図１に示すように、データ送信部１１１、第１設定部１１２、第２設定部１１３、及び第３設定部１１４を含む。前記制御部１１は、前記記憶部１４に記憶された前記データ送信プログラムを前記ＣＰＵを用いて実行することにより、前記データ送信部１１１、前記第１設定部１１２、前記第２設定部１１３、及び前記第３設定部１１４として機能する。ここに、前記データ送信部１１１、前記第１設定部１１２、前記第２設定部１１３、及び前記第３設定部１１４の各々として機能するときの前記制御部１１が、データ送信手段、第１設定手段、第２設定手段、及び第３設定手段の一例である。
【００２１】
前記データ送信部１１１は、前記画像形成装置２０に前記印刷データを送信することが可能である。
【００２２】
前記第１設定部１１２は、前記印刷データについて前記画像形成装置２０で印刷が開始されるまでの待機時間を設定可能である。具体的に、前記第１設定部１１２は、前記操作表示部１２に表示された前記印刷データの印刷条件を設定するための設定画面におけるユーザーの設定操作に応じて、前記待機時間を設定する。
【００２３】
前記待機時間は、前記印刷データを送信する前記画像形成装置２０までの移動時間などを考慮してユーザーにより任意に定められる時間であって、例えば、分単位で０〜３０分の間で設定可能とすることが考えられる。もちろん、前記待機時間は時単位又は秒単位で設定されてもよく、時、分、及び秒のいずれか２つ以上の組み合わせで設定されてもよい。なお、前記待機時間を時刻によって設定することも考えられる。前記待機時間が設定された前記印刷データが前記データ送信部１１１によって前記画像形成装置２０に送信されると、前記画像形成装置２０は前記待機時間の経過後に前記印刷データの印刷を開始する。また、前記画像形成装置２０では、前記待機時間の経過により前記印刷データの印刷が開始されるまでの間の、他の前記印刷データの印刷が禁止される。
【００２４】
前記第２設定部１１３は、前記待機時間が設定される前記印刷データについて、前記画像形成装置２０における他の前記印刷データの印刷の禁止が解除される解除時間を設定可能である。具体的に、前記第２設定部１１３は、前記操作表示部１２に表示された前記設定画面におけるユーザーの設定操作に応じて、前記解除時間を設定する。例えば、前記解除時間は、前記待機時間が１０分と設定される場合には、０〜１０分の間で設定可能である。
【００２５】
前記第３設定部１１４は、前記印刷データについて前記画像形成装置２０の後述の排紙トレイ２３９上に用紙が存在することを前記印刷データの印刷の保留条件として設定可能である。具体的に、前記第３設定部１１４は、前記操作表示部１２に表示された前記設定画面におけるユーザーの設定操作に応じて、前記保留条件の有効又は無効を設定する。
【００２６】
［画像形成装置２０］
前記画像形成装置２０は、図１及び図２に示すように、ＡＤＦ２１、画像読取部２２、画像形成部２３、給紙部２４、制御部２５、操作表示部２６、通信部２７、及び記憶部２８を備える。前記画像形成装置２０は、原稿から画像データを読み取るスキャン機能と共に、プリンター機能、ファクシミリー機能、又はコピー機能などの複数の機能を有する複合機である。また、前記画像形成装置２０は、前記情報処理装置１０から送信された前記印刷データの印刷が可能なプリンターなどの画像形成装置であってもよい。
【００２７】
前記ＡＤＦ２１は、図２に示すように、原稿セット部２１１、複数の搬送ローラー２１２、原稿押さえ２１３、及び排紙部２１４を備える自動原稿搬送装置である。そして、前記ＡＤＦ２１では、前記搬送ローラー２１２各々が不図示のモーターで駆動されることにより、前記原稿セット部２１１に載置された原稿が前記画像読取部２２による画像データの読取位置を通過して前記排紙部２１４まで搬送される。これにより、前記画像読取部２２は、前記ＡＤＦ２１により搬送される原稿から画像データを読み取ることが可能である。
【００２８】
前記画像読取部２２は、図２に示すように、原稿台２２１、読取ユニット２２２、ミラー２２３、２２４、光学レンズ２２５、及びＣＣＤ（Charge Coupled Device）２２６を備える。前記原稿台２２１は、前記画像読取部２２の上面に設けられた原稿の載置部である。前記読取ユニット２２２は、ＬＥＤ光源及びミラーを備え、不図示のモーターによって副走査方向（図２における左右方向）へ移動可能である。前記ＬＥＤ光源は、主走査方向（図２における奥行方向）に沿って配列された多数の白色ＬＥＤを備える。前記ミラーは、前記ＬＥＤ光源から照射されて前記原稿台２２１上の読取位置にある原稿の表面で反射した後の光を前記ミラー２２３に向けて反射させる。そして、前記読取ユニット２２２の前記ミラーで反射した光は、前記ミラー２２３、２２４によって前記光学レンズ２２５に導かれる。前記光学レンズ２２５は、入射した光を集光して前記ＣＣＤ２２６に入射させる。前記ＣＣＤ２２６は、前記光学レンズ２２５から入射される光の受光量に応じた電気信号を前記原稿の画像データとして前記制御部２５に入力する光電変換素子などを有する。
【００２９】
前記画像形成部２３は、前記画像読取部２２で読み取られた画像データ又は前記情報処理装置１０などから入力された画像データに基づいて画像形成処理（印刷処理）を実行する電子写真方式の画像形成部である。具体的に、前記画像形成部２３は、図２に示すように、感光体ドラム２３１、帯電装置２３２、露光装置（ＬＳＵ）２３３、現像装置２３４、転写ローラー２３５、クリーニング装置２３６、定着ローラー２３７、加圧ローラー２３８、及び排紙トレイ２３９を備える。そして、前記画像形成部２３では、前記給紙部２４に着脱可能な給紙カセット２４１から供給される用紙に以下の手順で画像が形成され、画像形成後の用紙が前記排紙トレイ２３９に排出される。
【００３０】
まず、前記帯電装置２３２によって前記感光体ドラム２３１が所定の電位に一様に帯電される。次に、前記露光装置２３３により前記感光体ドラム２３１の表面に画像データに基づく光が照射される。これにより、前記感光体ドラム２３１の表面に画像データに対応する静電潜像が形成される。そして、前記感光体ドラム２３１上の静電潜像は前記現像装置２３４によってトナー像として現像（可視像化）される。なお、前記現像装置２３４には、前記画像形成部２３に着脱可能なトナーコンテナ２３４Ａからトナー（現像剤）が補給される。続いて、前記感光体ドラム２３１に形成されたトナー像は前記転写ローラー２３５によって用紙に転写される。その後、用紙に転写されたトナー像は、その用紙が前記定着ローラー２３７及び前記加圧ローラー２３８の間を通過する際に前記定着ローラー２３７で加熱されて溶融定着する。なお、前記感光体ドラム２３１の表面に残存したトナーは前記クリーニング装置２３６で除去される。
【００３１】
ところで、前記排紙トレイ２３９には、前記排紙トレイ２３９上の用紙の有無の検出に用いられる用紙検出センサ２３９Ａが設けられている。例えば、前記用紙検出センサ２３９Ａは、発光部と受光部とを備える反射型光センサ又は透過型光センサである。また、前記用紙検出センサ２３９Ａは、前記排紙トレイ２３９が前記画像形成装置２０の側面などに設置されており、室内灯などの光が照射する場合には、太陽電池などの光電変換素子であってもよい。前記用紙検出センサ２３９Ａは、前記排紙トレイ２３９上の用紙の有無に応じた電気信号を、前記制御部２５に出力する。
【００３２】
前記制御部２５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２５は、前記ＲＯＭに予め記憶された各種の制御プログラムを前記ＣＰＵを用いて実行することにより前記画像形成装置２０を統括的に制御する。なお、前記制御部２５は、集積回路（ＡＳＩＣ）などの電子回路で構成されたものであってもよく、前記画像形成装置２０を統括的に制御するメイン制御部とは別に設けられた制御部であってもよい。
【００３３】
前記操作表示部２６は、前記制御部２５からの制御指示に応じて各種の情報を表示する液晶ディスプレーなどの表示部、及びユーザーの操作に応じて前記制御部２５に各種の情報を入力するハードキー又はタッチパネルなどの操作部を有する。
【００３４】
前記通信部２７は、前記情報処理装置１０などの外部通信機器との間で、前記通信ネットワーク３０を介して有線又は無線によるデータ通信を実行する。
【００３５】
前記記憶部２８は、ソリッドステートドライブ（ＳＳＤ）又はハードディスクドライブ（ＨＤＤ）などの記憶手段である。前記記憶部２８には、前記情報処理装置１０から送信される前記印刷データが記憶される。また、前記記憶部２８には、予め設定された認証操作に応じてユーザーをログインさせるために用いられる認証情報が記憶される。具体的に、前記認証情報は、ユーザー毎に予め定められたユーザー名及びパスワードである。また、前記記憶部２８には、前記情報処理装置１０を示す装置識別情報が、前記画像形成装置２０のユーザーと対応付けられて記憶されている。例えば、前記装置識別情報は、前記情報処理装置１０の前記通信ネットワーク３０におけるＩＰアドレスである。
【００３６】
更に、前記記憶部２８には、前記制御部２５の前記ＣＰＵに後述の印刷制御処理（図４及び図５のフローチャート参照）を実行させるための印刷制御プログラムが予め記憶されている。なお、前記印刷制御プログラムは、ＣＤ、ＤＶＤ、フラッシュメモリーなどのコンピューター読み取り可能な記録媒体に記録されており、前記記録媒体から前記記憶部２８などの記憶手段にインストールされてもよい。
【００３７】
そして、前記制御部２５は、図１に示すように、認証制御部２５１、特定部２５２、用紙検出部２５３、印刷制御部２５４、印刷禁止部２５５、第１通知部２５６、及び第２通知部２５７を含む。前記制御部２５は、前記記憶部２８に記憶された前記印刷制御プログラムを前記ＣＰＵを用いて実行することにより、前記認証制御部２５１、前記特定部２５２、前記用紙検出部２５３、前記印刷制御部２５４、前記印刷禁止部２５５、前記第１通知部２５６、及び前記第２通知部２５７として機能する。ここに、前記認証制御部２５１、前記特定部２５２、前記用紙検出部２５３、前記印刷制御部２５４、前記印刷禁止部２５５、前記第１通知部２５６、及び前記第２通知部２５７の各々として機能するときの前記制御部２５が、認証制御手段、特定手段、用紙検出手段、印刷制御手段、印刷禁止手段、第１通知手段、及び第２通知手段の一例である。
【００３８】
前記認証制御部２５１は、予め設定された認証操作に応じてユーザーをログインさせる認証処理を実行する。具体的に、前記認証制御部２５１は、前記操作表示部２６に前記認証操作を行うための認証画面を必要に応じて表示させる。そして、前記認証制御部２５１は、前記認証画面においてユーザーによる前記操作表示部２６に対するログイン情報の入力操作を受け付ける。ここに、前記入力操作が前記認証操作の一例である。その後、前記認証制御部２５１は、前記操作表示部２６から入力された前記ログイン情報が前記認証情報に含まれている場合に認証完了と判断し、前記ユーザーを前記画像形成装置２０にログインさせる。なお、前記認証制御部２５１は、前記操作表示部２６に対するログアウト操作が行われた場合、予め設定された時間が経過した場合、又は他のユーザーをログインさせる場合に、現在ログイン中のユーザーをログアウトさせるログアウト処理を実行する。
【００３９】
前記特定部２５２は、前記印刷データを送信可能な前記情報処理装置１０に対応するユーザーを特定可能である。具体的に、前記特定部２５２は、前記印刷データを送信した前記情報処理装置１０の前記装置識別情報を取得し、前記記憶部２８に記憶された前記装置識別情報と照合することで、前記情報処理装置１０に対応する前記画像形成装置２０のユーザーを特定可能である。
【００４０】
前記用紙検出部２５３は、前記排紙トレイ２３９上の用紙の有無を検出可能である。具体的に、前記用紙検出部２５３は、前記用紙検出センサ２３９Ａから出力される前記電気信号に基づいて、前記排紙トレイ２３９上の用紙の有無を検出可能である。
【００４１】
前記印刷制御部２５４は、前記情報処理装置１０から送信される前記印刷データについて前記待機時間が設定されている場合に、前記待機時間の経過後に前記印刷データの印刷を開始させる。具体的に、前記印刷制御部２５４は、前記待機時間が設定された前記印刷データについての印刷処理開始時からの経過時間を計測する。そして、前記印刷制御部２５４は、前記経過時間が前記待機時間を超過した場合に、前記印刷データを前記画像形成部２３に印刷させる。
【００４２】
また、前記印刷制御部２５４は、前記情報処理装置１０から送信される前記印刷データについて前記保留条件が設定されている場合に、前記用紙検出部２５３により前記排紙トレイ２３９上の用紙が検出されている間は前記印刷データの印刷を開始させない。更に、前記印刷制御部２５４は、前記印刷データについて前記保留条件が設定されている場合に、前記用紙検出部２５３により前記排紙トレイ２３９上の用紙が検出されている間であっても、前記印刷データを送信した前記情報処理装置１０に対応するユーザーが前記画像形成装置２０にログインした場合には、前記印刷データの印刷を開始させる。具体的に、前記印刷制御部２５４は、前記保留条件の設定がされた前記印刷データの印刷処理を開始した場合に、前記用紙検出部２５３の検出結果に応じて、前記印刷データの印刷の開始の許否を判断する。
【００４３】
なお、前記印刷制御部２５４は、前記待機時間及び前記保留条件のどちらか一方又は両方が設定された複数の前記印刷データが前記記憶部２８に記憶されている場合に、複数の前記印刷データについて予め定められた順序に従って順次前記印刷データの印刷を開始させる。例えば、前記順序は、前記画像形成装置２０が前記印刷データを受信した順である。なお、先に受信された前記印刷データの前記解除時間中に、前記保留条件が設定された前記印刷データが受信された場合には、前記順序を入れ替えることが考えられる。同様に、先に受信された前記印刷データの前記解除時間中に、後から受信された前記印刷データの前記待機時間が経過する場合には、前記順序を入れ替えることが考えられる。
【００４４】
前記印刷禁止部２５５は、前記待機時間が設定されている前記印刷データの印刷が開始されるまでの間、前記画像形成装置２０による他の前記印刷データの印刷を禁止可能である。また、前記印刷禁止部２５５は、前記待機時間が設定された前記印刷データに前記解除時間が設定されている場合に、前記印刷データに対応する前記待機時間の計時開始から前記解除時間が経過するまでの間、他の前記印刷データの印刷の禁止を解除する。具体的に、前記印刷禁止部２５５は、前記待機時間が設定された前記印刷データについての前記印刷制御部２５４による前記経過時間の計測時から前記解除時間の経過時までは、他の前記印刷データの印刷の禁止を解除し、前記解除時間の経過時から前記待機時間の経過時までは、他の前記印刷データの印刷を禁止する。
【００４５】
また、前記印刷禁止部２５５は、前記保留条件が設定された前記印刷データの印刷が開始された後、前記印刷データが印刷された用紙が前記用紙検出部２５３により検出されなくなるまでの間、前記画像形成装置２０による他の前記印刷データの印刷を禁止可能である。具体的に、前記印刷禁止部２５５は、前記印刷データが印刷された用紙が前記排紙トレイ２３９に排出された後、前記用紙検出部２５３により前記排紙トレイ２３９からの用紙の取り出しが検出されるまでの間、他の前記印刷データの印刷を禁止する。
【００４６】
前記第１通知部２５６は、前記情報処理装置１０により前記待機時間及び前記保留条件のどちらか一方又は両方が設定された前記印刷データが送信された場合であって前記記憶部２８に前記順序が優先する他の前記印刷データが存在する場合に、前記印刷データを送信した前記情報処理装置１０にその旨を通知する。例えば、前記第１通知部２５６は、前記順序が優先する他の前記印刷データの個数及び前記待機時間の合計値を通知する。また、前記第１通知部２５６は、前記順序が優先する前記印刷データの個数及び前記待機時間の合計値などに基づいて計算される予想待ち時間を通知するものであってもよい。そして、前記情報処理装置１０は、前記第１通知部２５６から通知された通知内容を、前記操作表示部１２に表示させる。
【００４７】
前記第２通知部２５７は、前記印刷禁止部２５５により他の前記印刷データの印刷が禁止される場合に、前記待機時間及び前記保留条件が設定されていない前記印刷データを送信した前記情報処理装置１０にその旨を通知する。例えば、前記第２通知部２５７は、前記待機時間が設定された前記印刷データの印刷処理によって他の前記印刷データの印刷が禁止される場合には、前記待機時間の経過時までの残り時間を通知する。また、前記第２通知部２５７は、前記保留条件が設定された前記印刷データの印刷処理によって他の前記印刷データの印刷が禁止される場合には、その旨を通知する。そして、前記情報処理装置１０は、前記第２通知部２５７から通知された通知内容を、前記操作表示部１２に表示させる。
【００４８】
以上に説明した前記印刷システム１００においては、前記印刷データを印刷する方法として、通常印刷、親展印刷の２つの方法が選択可能である。具体的に、前記情報処理装置１０では、前記操作表示部１２におけるユーザーの操作に応じて、前記設定画面が表示される。そして、前記設定画面において、ユーザーは前記印刷データを印刷する方法として、前記通常印刷又は前記親展印刷のいずれかを選択することが可能である。前記通常印刷の方法では、前記情報処理装置１０から送信された前記印刷データは前記画像形成装置２０において直ちに印刷される。一方、前記親展印刷の方法では、ユーザーは前記設定画面において前記待機時間、前記解除時間、及び前記保留条件を設定するための設定操作を行うことが可能である。
【００４９】
そして、前記設定画面において前記印刷データの印刷に必要な設定操作が行われた後、ユーザーにより前記印刷データの印刷の実行操作が行われた場合には、前記情報処理装置１０において後述のデータ送信処理が実行される。また、前記画像形成装置２０において後述の印刷制御処理が実行される。以下、データ送信処理、及び印刷制御処理について説明する。
【００５０】
［データ送信処理］
まず、図３を参照しつつ、前記情報処理装置１０において前記制御部１１により実行されるデータ送信処理の手順の一例について説明する。ここで、ステップＳ１、Ｓ２・・・は、前記制御部１１により実行される処理手順（ステップ）の番号を表している。
【００５１】
＜ステップＳ１＞
まず、ステップＳ１において、前記制御部１１は、前記設定画面において前記印刷データを印刷する方法として前記親展印刷が選択されていたか否かを判断する。
【００５２】
ここで、前記制御部１１は、前記設定画面において前記印刷データを印刷する方法として前記親展印刷が選択されていたと判断すると（Ｓ１のＹｅｓ側）、処理をステップＳ２に移行させる。また、前記制御部１１は、前記親展印刷が選択されていないと判断すると（Ｓ１のＮｏ側）、処理をステップＳ５に移行させる。
【００５３】
＜ステップＳ２＞
ステップＳ２において、前記第１設定部１１２は、前記設定画面における前記待機時間を設定するためのユーザーの設定操作に応じて、前記待機時間を設定する。なお、前記待機時間を設定するための設定操作が前記設定画面において行われなかった場合には、予め設定された初期値に基づいて前記待機時間が設定される。例えば、前記初期値は０（待機時間なし）又は５分などである。即ち、前記情報処理装置１０では、前記設定画面において前記印刷データの印刷方法として前記親展印刷の方法が選択された場合には、必ず前記待機時間が設定されることになる。
【００５４】
＜ステップＳ３＞
ステップＳ３において、前記第２設定部１１３は、前記設定画面における前記解除時間を設定するためのユーザーの設定操作に応じて、前記解除時間を設定する。ここで、前記解除時間を設定するための設定操作が前記設定画面において行われなかった場合には、予め設定された初期値に基づいて前記解除時間を設定することが考えられる。前記初期値は、例えば０（解除時間なし）である。また、前記ステップＳ２で設定された前記待機時間を超える時間が前記設定画面において入力されていた場合には、前記待機時間よりも所定時間短い時間を前記解除時間として設定することが考えられる。前記解除時間の設定により、前記待機時間の経過前であっても他の前記印刷データの印刷が可能となるため、前記印刷システム１００において親展印刷が行われる場合の他の印刷データの印刷処理の遅延は緩和される。
【００５５】
＜ステップＳ４＞
ステップＳ４において、前記第３設定部１１４は、前記設定画面における前記保留条件の有効又は無効を設定するためのユーザーの設定操作に応じて、前記保留条件を設定する。ここで、前記保留条件を有効にするための設定操作が前記設定画面において行われなかった場合には、前記印刷データについて前記保留条件は無効となる。
【００５６】
＜ステップＳ５＞
ステップＳ５において、前記データ送信部１１１は、前記印刷データを前記設定画面で選択された前記画像形成装置２０に送信する。このとき、前記印刷データの印刷方法が前記親展印刷である場合、前記印刷データには前記ステップＳ２〜Ｓ４で設定された各種の設定情報が含まれる。
【００５７】
［印刷制御処理］
次に、図４及び図５を参照しつつ、前記画像形成装置２０において前記制御部２５により実行される印刷制御処理の手順の一例について説明する。前記制御部２５は、前記情報処理装置１０から前記印刷データを受信した場合に、前記印刷データ毎に前記印刷制御処理を実行する。
【００５８】
＜ステップＳ１１＞
まず、ステップＳ１１において、前記制御部２５は、前記情報処理装置１０から送信された前記印刷データについて、前記親展印刷の方法で印刷が行われる前記印刷データであるか否かを判断する。具体的に、前記制御部２５は、前記印刷データに前記待機時間が設定されている場合に、前記親展印刷の方法で印刷が行われる前記印刷データであると判断する。
【００５９】
ここで、前記制御部２５は、前記印刷データについて、前記親展印刷の方法で印刷が行われる前記印刷データであると判断すると（Ｓ１１のＹｅｓ側）、処理をステップＳ１２に移行させる。また、前記制御部２５は、前記親展印刷の方法で印刷が行われる前記印刷データではないと判断すると（Ｓ１１のＮｏ側）、処理をステップＳ１１１に移行させる。
【００６０】
＜ステップＳ１２＞
前記ステップＳ１２において、前記制御部２５は、前記印刷データよりも前記順序が優先する、前記親展印刷の方法で印刷される他の前記印刷データが前記記憶部２８に記憶されているか否かを判断する。具体的に、前記制御部２５は、前記待機時間が設定された他の前記印刷データが前記記憶部２８に既に記憶されている場合に、前記印刷データよりも前記順序が優先する他の前記印刷データが前記記憶部２８に記憶されていると判断する。
【００６１】
ここで、前記制御部２５は、前記順序が優先する他の前記印刷データが前記記憶部２８に記憶されていると判断すると（Ｓ１２のＹｅｓ側）、処理をステップＳ１３に移行させる。また、前記制御部２５は、前記順序が優先する他の前記印刷データが前記記憶部２８に記憶されていないと判断すると（Ｓ１２のＮｏ側）、処理をステップＳ１５に移行させる。
【００６２】
＜ステップＳ１３＞
ステップＳ１３において、前記第１通知部２５６は、前記印刷データを送信した前記情報処理装置１０に対して、前記順序が優先する他の前記印刷データが存在することを通知する。ここで、前記第１通知部２５６は、前記順位が優先する他の前記印刷データの数と、他の前記印刷データの前記待機時間を通知する。これにより、前記印刷データを送信した前記情報処理装置１０のユーザーは、送信した前記印刷データについての印刷処理が遅れることを認識することが可能となる。なお、前記第１通知部２５６からの通知を受けた前記情報処理装置１０が、前記画像形成装置２０に対して、前記印刷データの印刷処理のキャンセルの指示を送信可能とすることが考えられる。これにより、前記印刷データを送信したユーザーは、他の前記画像形成装置２０において、前記親展印刷の方法で前記印刷データを印刷することが可能となる。
【００６３】
＜ステップＳ１４＞
ステップＳ１４において、前記制御部２５は、前記順序が優先する他の前記印刷データについて後述の親展印刷処理が終了したか否かを判断する。
【００６４】
ここで、前記制御部２５は、前記順序が優先する他の前記印刷データについて親展印刷処理が終了したと判断すると（Ｓ１４のＹｅｓ側）、処理をステップＳ１５に移行させる。また、前記順序が優先する他の前記印刷データについて親展印刷処理が終了していなければ（Ｓ１４のＮｏ側）、前記制御部２５は、前記ステップＳ１４で他の前記印刷データについて親展印刷処理が終了するのを待ち受ける。なお、前記制御部２５によって前記順序が優先する他の前記印刷データについて親展印刷処理が終了したと判断された場合に、前記第１通知部２５６がその旨を前記印刷データを送信した前記情報処理装置１０に通知することが考えられる。
【００６５】
＜ステップＳ１５＞
ステップＳ１５において、前記制御部２５は、前記印刷データについて以下に述べる親展印刷処理を実行する。そして、前記制御部２５は、前記親展印刷処理が終了した後に、前記印刷制御処理を終了させる。
［親展印刷処理］
【００６６】
ここで、図５を参照しつつ、前記印刷制御処理の前記ステップＳ１５において実行される前記親展印刷処理の手順の一例について説明する。なお、前記印刷制御処理のステップＳ１１１以下の処理は、前記親展印刷処理の説明の終了後に説明される。
【００６７】
＜ステップＳ２１＞
まず、ステップＳ２１において、前記印刷制御部２５４は、前記印刷データについて前記経過時間の計測を開始する。
【００６８】
＜ステップＳ２２＞
ステップＳ２２において、前記印刷禁止部２５５は、前記ステップＳ２１で計測が開始された前記経過時間が、前記印刷データについて設定された前記解除時間を超過したか否かを判断する。
【００６９】
ここで、前記印刷禁止部２５５は、前記経過時間が前記解除時間を超過したと判断すると（Ｓ２２のＹｅｓ側）、処理をステップＳ２３に移行させる。また、前記経過時間が前記解除時間を超過していなければ（Ｓ２２のＮｏ側）、前記印刷禁止部２５５は、前記ステップＳ２２で前記経過時間が前記解除時間を超過するのを待ち受ける。
【００７０】
＜ステップＳ２３＞
ステップＳ２３において、前記印刷禁止部２５５は、他の前記印刷データの印刷の禁止を設定する。
【００７１】
＜ステップＳ２４＞
ステップＳ２４において、前記印刷制御部２５４は、前記ステップＳ２１で計測が開始された前記経過時間が、前記印刷データについて設定された前記待機時間を超過したか否かを判断する。
【００７２】
ここで、前記印刷制御部２５４は、前記経過時間が前記待機時間を超過したと判断すると（Ｓ２４のＹｅｓ側）、処理をステップＳ２５に移行させる。また、前記経過時間が前記待機時間を超過していなければ（Ｓ２４のＮｏ側）、前記印刷制御部２５４は、前記ステップＳ２４で前記経過時間が前記待機時間を超過するのを待ち受ける。
【００７３】
＜ステップＳ２５＞
ステップＳ２５において、前記印刷制御部２５４は、前記印刷データについて前記保留条件が有効に設定されているか否かを判断する。
【００７４】
ここで、前記印刷制御部２５４は、前記印刷データについて前記保留条件が有効に設定されていると判断すると（Ｓ２５のＹｅｓ側）、処理をステップＳ２６に移行させる。また、前記印刷制御部２５４は、前記印刷データについて前記保留条件が有効に設定されていないと判断すると（Ｓ２５のＮｏ側）、処理をステップＳ２５１に移行させる。
【００７５】
＜ステップＳ２５１＞
ステップＳ２５１において、前記印刷制御部２５４は、前記画像形成部２３に前記印刷データについての印刷処理を開始させ、前記印刷データが印刷された用紙を前記排紙トレイ２３９上に排出させる。
【００７６】
＜ステップＳ２６＞
一方、ステップＳ２６において、前記用紙検出部２５３は、前記排紙トレイ２３９上に用紙が存在するか否かを判断する。具体的に、前記用紙検出部２５３は、前記用紙検出センサ２３９Ａから出力される前記電気信号に基づいて、前記排紙トレイ２３９上の用紙の有無を検出する。
【００７７】
ここで、前記用紙検出部２５３は、前記排紙トレイ２３９上に用紙が存在すると判断すると（Ｓ２６のＹｅｓ側）、処理をステップＳ２７に移行させる。また、前記用紙検出部２５３は、前記排紙トレイ２３９上に用紙が存在しないと判断すると（Ｓ２６のＮｏ側）、処理をステップＳ２９に移行させる。
【００７８】
＜ステップＳ２７＞
ステップＳ２７において、前記制御部２５は、前記印刷データを送信した前記情報処理装置１０に対応するユーザーが前記画像形成装置２０にログインしたか否かを判断する。具体的に、前記制御部２５は、ユーザーの前記操作表示部２６に対する操作に応じて前記認証画面を表示させる。そして、前記制御部２５は、前記認証画面において入力された前記ログイン情報に基づいてユーザーをログインさせる。他方で、前記制御部２５は、前記印刷データを送信した前記情報処理装置１０の前記装置識別情報を取得し、前記記憶部２８に記憶された前記装置識別情報と照合することで、前記情報処理装置１０に対応するユーザーを特定する。そして、前記制御部２５は、特定されたユーザーと、現在前記画像形成装置２０にログインしているユーザーとが一致する場合に、前記印刷データを送信した前記情報処理装置１０に対応するユーザーが前記画像形成装置２０にログインしたと判断する。ここに、前記ユーザーをログインさせる処理は、前記制御部２５の前記認証制御部２５１により実行される。また、前記ユーザーを特定する処理は、前記制御部２５の前記特定部２５２により実行される。
【００７９】
ここで、前記印刷制御部２５４は、前記情報処理装置１０に対応するユーザーが前記画像形成装置２０にログインしたと判断すると（Ｓ２７のＹｅｓ側）、処理をステップＳ２５１に移行させる。また、前記印刷制御部２５４は、前記情報処理装置１０に対応するユーザーが前記画像形成装置２０にログインしていないと判断すると（Ｓ２７のＮｏ側）、処理をステップＳ２８に移行させる。これにより、他のユーザーによって印刷された印刷物が前記排紙トレイ２３９上に残っている場合であっても、ユーザーは親展印刷の印刷物を出力することが可能となる。なお、前記画像形成装置２０へのログインに替えて、前記情報処理装置１０の前記設定画面において設定されたパスワードが前記画像形成装置２０に入力された場合に、親展印刷の印刷物を出力する構成であってもよい。
【００８０】
＜ステップＳ２８＞
ステップＳ２８において、前記用紙検出部２５３は、前記排紙トレイ２３９上に用紙が存在するか否かを判断する。具体的に、前記用紙検出部２５３は、前記用紙検出センサ２３９Ａから出力される前記電気信号に基づいて、前記排紙トレイ２３９上の用紙の有無を検出する。
【００８１】
ここで、前記用紙検出部２５３は、前記排紙トレイ２３９上に用紙が存在しないと判断すると（Ｓ２８のＮｏ側）、処理をステップＳ２９に移行させる。また、前記排紙トレイ２３９上に用紙が存在していれば（Ｓ２８のＹｅｓ側）、前記用紙検出部２５３は、処理を前記ステップＳ２７に移行させて、前記排紙トレイ２３９上の用紙が存在しなくなるまでの間、前記情報処理装置１０に対応するユーザーが前記画像形成装置２０にログインするのを待ち受ける。
【００８２】
＜ステップＳ２９＞
ステップＳ２９において、前記印刷制御部２５４は、前記画像形成部２３に前記印刷データについての印刷処理を開始させ、前記印刷データが印刷された用紙を前記排紙トレイ２３９上に排出させる。
【００８３】
＜ステップＳ３０＞
ステップＳ３０において、前記用紙検出部２５３は、前記排紙トレイ２３９上に用紙が存在するか否かを判断する。具体的に、前記用紙検出部２５３は、前記用紙検出センサ２３９Ａから出力される前記電気信号に基づいて、前記排紙トレイ２３９上の用紙の有無を検出する。
【００８４】
ここで、前記用紙検出部２５３は、前記排紙トレイ２３９上に用紙が存在しないと判断すると（Ｓ３０のＮｏ側）、処理をステップＳ３１に移行させる。また、前記排紙トレイ２３９上に用紙が存在していれば（Ｓ３０のＹｅｓ側）、前記用紙検出部２５３は、前記ステップＳ３０で前記排紙トレイ２３９上の用紙が存在しなくなるのを待ち受ける。
【００８５】
＜ステップＳ３１＞
ステップＳ３１において、前記印刷禁止部２５５は、前記ステップＳ２３で設定された他の前記印刷データの印刷の禁止設定を解除する。その後、前記制御部２５は、前記親展印刷処理を終了させる。
【００８６】
以上で、前記親展印刷処理の説明を終了し、図４に示される前記印刷制御処理のステップＳ１１１以下の処理について説明を再開する。
【００８７】
＜ステップＳ１１１＞
前記ステップＳ１１１において、前記印刷データについて前記親展印刷の方法で印刷が行われないと判断された場合には、前記制御部２５は、前記印刷データについて前記通常印刷の方法で印刷が行われると判断し、ステップＳ１１１の処理を実行する。ステップＳ１１１において、前記制御部２５は、前記記憶部２８に記憶された他の前記印刷データについて、前記親展印刷処理が実行されているか否かを判断する。
【００８８】
ここで、前記制御部２５は、前記記憶部２８に記憶された他の前記印刷データについて、前記親展印刷処理が実行されていると判断すると（Ｓ１１１のＹｅｓ側）、処理をステップＳ１１２に移行させる。また、前記制御部２５は、他の前記印刷データについて、前記親展印刷処理が実行されていないと判断すると（Ｓ１１１のＮｏ側）、処理をステップＳ１１７に移行させる。
【００８９】
＜ステップＳ１１２＞
ステップＳ１１２において、前記制御部２５は、現在実行されている前記親展印刷処理で前記印刷禁止部２５５により他の前記印刷データの印刷禁止が設定されているか否かを判断する。
【００９０】
ここで、前記制御部２５は、前記印刷禁止部２５５により他の前記印刷データの印刷禁止が設定されていると判断すると（Ｓ１１２のＹｅｓ側）、処理をステップＳ１１３に移行させる。また、前記制御部２５は、前記印刷禁止部２５５により他の前記印刷データの印刷禁止が設定されていないと判断すると（Ｓ１１２のＮｏ側）、処理をステップＳ１１７に移行させる。
【００９１】
＜ステップＳ１１３＞
ステップＳ１１３において、前記第２通知部２５７は、前記印刷データを送信した前記情報処理装置１０に対して、現在実行されている前記親展印刷処理において他の前記印刷データの印刷が禁止されていることを通知する。ここで、前記第２通知部２５７は、現在前記親展印刷処理が実行されている前記印刷データについての、前記待機時間の経過までの残り時間と、前記保留条件の設定の有無を通知する。これにより、前記印刷データを送信した前記情報処理装置１０のユーザーが、未だ前記印刷データの印刷処理が実行されていないにも関わらず、誤って印刷物を回収するために前記画像形成装置１０へ向かうことが防止される。
【００９２】
＜ステップＳ１１４＞
ステップＳ１１４において、前記制御部２５は、現在実行されている前記親展印刷処理での前記印刷禁止部２５５による他の前記印刷データの印刷禁止の設定が解除されたか否かを判断する。
【００９３】
ここで、前記制御部２５は、前記印刷禁止部２５５による他の前記印刷データの印刷禁止の設定が解除されたと判断すると（Ｓ１１４のＹｅｓ側）、処理をステップＳ１１５に移行させる。また、前記印刷禁止部２５５による他の前記印刷データの印刷禁止の設定が解除されていなければ（Ｓ１１４のＮｏ側）、前記制御部２５は、前記ステップＳ１１４で、前記親展印刷処理の終了を待ち受ける。
【００９４】
＜ステップＳ１１５＞
ステップＳ１１５において、前記制御部２５は、前記印刷データよりも先に前記画像形成装置２０に送信された、前記通常印刷の方法で印刷される他の前記印刷データが前記記憶部２８に記憶されているか否かを判断する。
【００９５】
ここで、前記制御部２５は、先に送信された他の前記印刷データが前記記憶部２８に記憶されていると判断すると（Ｓ１１５のＹｅｓ側）、処理をステップＳ１１６に移行させる。また、前記制御部２５は、先に送信された他の前記印刷データが前記記憶部２８に記憶されていないと判断すると（Ｓ１１５のＮｏ側）、処理をステップＳ１１７に移行させる。
【００９６】
＜ステップＳ１１６＞
ステップＳ１１６において、前記制御部２５は、前記印刷データよりも先に前記画像形成装置２０に送信された、前記通常印刷の方法で印刷される他の前記印刷データについて印刷処理が終了したか否かを判断する。即ち、前記印刷制御処理において、前記印刷禁止部２５５による他の前記印刷データの印刷禁止が設定されている間に、前記通常印刷の方法で印刷される複数の前記印刷データが前記画像形成装置２０に送信された場合には、複数の前記印刷データ各々についての印刷処理は、印刷禁止設定の解除後、その送信された順に順次行われることになる。なお、２つ以上の前記親展印刷処理が連続して実行される場合であって、次に実行される前記親展印刷処理において前記解除時間が０（解除時間なし）と設定されている場合には、前の前記親展印刷処理における印刷禁止設定の解除後に実行される前記通常印刷による印刷処理の数を制限することも考えられる。
【００９７】
ここで、前記制御部２５は、先に送信された他の前記印刷データについて印刷処理が終了したと判断すると（Ｓ１１６のＹｅｓ側）、処理をステップＳ１１７に移行させる。また、先に送信された他の前記印刷データについて印刷処理が終了していなければ（Ｓ１１６のＮｏ側）、前記制御部２５は、前記ステップＳ１１６で、先に送信された他の前記印刷データについて印刷処理が終了するのを待ち受ける。
【００９８】
＜ステップＳ１１７＞
ステップＳ１１７において、前記制御部２５は、前記画像形成部２３に前記印刷データについての印刷処理を開始させ、前記印刷データが印刷された用紙を前記排紙トレイ２３９上に排出させる。その後、前記制御部２５は、前記印刷制御処理を終了させる。
【００９９】
このように、前記印刷制御処理においては、前記データ送信処理で前記印刷データに前記待機時間が設定された場合に、前記待機時間の経過まで前記印刷データについての印刷処理が開始されない。そのため、前記印刷システム１００では、前記情報処理装置１０から前記画像形成装置２０までのユーザーの移動時間に合わせて、前記印刷データの印刷処理を開始することが可能となり、ユーザーは親展印刷の印刷物が出力された直後に回収することができる。また、前記印刷制御処理においては、前記解除時間経過後から前記待機時間経過までの間は、他の前記印刷データの印刷が禁止される。そのため、前記印刷システム１００では、他のユーザーが前記画像形成装置１０において印刷物の回収作業を行っている途中に、親展印刷の印刷物が出力される事態が防止される。以上により、前記印刷システム１００では、親展印刷を行うユーザーの操作の手間が軽減されると共に、出力された印刷物の秘匿性が確保される。
【０１００】
また、前記印刷制御処理においては、前記データ送信処理で前記印刷データに前記保留条件が設定された場合に、前記排紙トレイ２３９上に用紙が存在する間は、前記印刷データの印刷処理が開始されず、印刷処理が開始されてから出力された印刷物が回収されるまでの間は、他の印刷データの印刷が禁止される。そのため、前記印刷システム１００では、親展印刷の印刷物が出力されてから回収されるまでの間に、他のユーザーが印刷物を回収するために前記画像形成装置２０に向かう事態が防止される。
［その他の実施形態］
【０１０１】
ところで、前記印刷システム１００においては、前記画像形成装置２０が、前記印刷制御部２５４、前記印刷禁止部２５５、前記第１通知部２５６、及び前記第２通知部２５７を備えるものであった。他方で、前記情報処理装置１０から送信された前記印刷データを受信し、前記印刷データを前記画像形成装置２０に送信するプリントサーバーが、前記前記印刷制御部２５４、前記印刷禁止部２５５、前記第１通知部２５６、及び前記第２通知部２５７を備える構成が考えられる。これにより、前記画像形成装置２０の構成が簡素なものであっても、前記印刷システム１００を構築することが可能となる。
【０１０２】
また、前記データ送信処理において、前記解除時間はユーザーの前記設定画面における設定操作に応じて設定されるものであった。この点、前記情報処理装置１０の前記制御部１１又は前記画像形成装置２０の前記制御部２５が、ユーザーによって設定された前記待機時間に応じて、自動的に前記解除時間を設定する構成が考えらえる。これにより、前記解除時間を設定するユーザーの手間が軽減される。
【０１０３】
具体的に、前記情報処理装置１０が、前記印刷データについて設定された前記待機時間が予め定められた閾値を超える場合に、前記印刷データに対応する前記待機時間から予め設定された禁止時間を除く残余時間を前記解除時間として設定可能な解除時間設定部を、前記第２設定部１１３に替えて、又は前記第２設定部１１３と共に備えることが考えられる。例えば、前記閾値を３０分とし、前記禁止時間を１０分とすることが考えられる。なお、前記閾値及び前記禁止時間については、前記情報処理装置１０の前記操作表示部１２に表示された初期設定画面におけるユーザーの設定操作に応じて変更可能としてもよい。また、前記画像形成装置２０が、前記解除時間設定部を備えるものであってもよい。ここに、前記解除時間設定部が、解除時間設定手段の一例である。
【０１０４】
更に、前記印刷制御処理においては、前記親展印刷処理により他の前記印刷データの印刷が禁止される間に、前記画像形成装置２０が前記通常印刷による前記印刷データを受信した場合には、印刷の禁止が前記情報処理装置１０に通知されることを例に挙げて説明した。この点、前記親展印刷処理により他の前記印刷データの印刷が禁止される間は、前記情報処理装置１０からの前記通常印刷による前記印刷データの送信が禁止される構成が考えられる。これにより、ユーザーが通知に気づかず、誤って画像形成装置２０に印刷物の回収に向かう事態が防止される。
【０１０５】
具体的に、前記画像形成装置２０が、前記印刷禁止部２５５により他の前記印刷データの印刷が禁止される場合に、前記情報処理装置１０による前記待機時間及び前記保留条件が設定されていない他の前記印刷データの送信を禁止する送信禁止部を、前記第２通知部２５７に替えて備えることが考えられる。ここに、前記送信禁止部が、送信禁止手段の一例である。
【符号の説明】
【０１０６】
１０  ：情報処理装置
１１  ：制御部
１１１：データ送信部
１１２：第１設定部
１１３：第２設定部
１１４：第３設定部
２０  ：画像形成装置
２５  ：制御部
２５１：認証制御部
２５２：特定部
２５３：用紙検出部
２５４：印刷制御部
２５５：印刷禁止部
２５６：第１通知部
２５７：第２通知部
３０  ：通信ネットワーク
１００：印刷システム
【図１】
2015197705.tif 000003
【図２】
2015197705.tif 000004
【図３】
2015197705.tif 000005
【図４】
2015197705.tif 000006
【図５】
2015197705.tif 000007